(57)【要約】【課題】複数の分割コアによって形成されるステータにおいて、低コストで製作可能な回転電機のステータ及びそのステータを適用した回転電機を提供する。【解決手段】複数の分割コア４１と、複数のインシュレータ４２と、複数のコイル６と、を備えた回転電機のステータ１であって、複数の同相コイルと、複数の同相分割コアと、を備え、複数の同相分割コアは、一方相コイルが巻回された一方相分割コアと、他方相コイルが巻回された他方相分割コアと、を備え、複数の一方相コイルは、一本の導線によって形成され、ステータの軸線方向の一端側においてヨーク４１ａの径方向外側に向かって引き出された第一引き出し部Ｌｏｕｔｗと、第一渡り部６ｃ１と、第一引き込み部Ｌｉｎｗと、を備え、複数の他方相コイルは、一本の導線によって形成され、ステータの軸線方向の他端側においてヨークの径方向外側に向かって引き出された第二引き出し部Ｌｏｕｔｕ、Ｌｏｕｔｖと、第二渡り部６ａ１，６ｂ１と、第二引き込み部Ｌｉｎｕ，Ｌｉｎｖと、を備えた。【選択図】図９
2015171239.tif 000002
【特許請求の範囲】
【請求項１】
円弧状に形成されたヨーク、及び前記ヨークの径方向内側に向かって前記ヨークに突出形成されたティースをそれぞれ備え円環状に並べられた複数の分割コアと、
絶縁性材料によって形成され、前記複数の分割コアの前記ティースをそれぞれ覆う複数のインシュレータと、
前記インシュレータを介して前記ティースに巻回された複数のコイルと、
を備えた回転電機のステータであって、
複数の給電相のうち前記複数のコイルが同相毎に区分された複数の同相コイルと、
前記複数の分割コアが、前記同相毎に区分され、前記複数の同相コイルがそれぞれ巻回された複数の同相分割コアと、を備え、
前記複数の同相分割コアは、
前記複数の同相コイルのうち一方相の一方相コイルが巻回された一方相分割コアと、
前記一方相分割コアと隣接して配置され、前記複数の同相コイルのうち他方相の他方相コイルが巻回された他方相分割コアと、を備え、
前記複数の一方相コイルは、
一本の導線によって形成され、
前記一方相コイルが巻回された前記一方相分割コアのティースから、前記ステータの軸線方向の一端側において前記ヨークの径方向外側に向かって引き出された第一引き出し部と、
前記第一引き出し部と接続され前記他方相コイルが巻回された前記他方相分割コアのティースを飛ばして前記他方相コイルと隣接する前記一方相コイルが巻回された前記一方相分割コアに至る第一渡り部と、
前記第一渡り部と接続され前記一方相コイルが巻回された前記一方相分割コアのティース上に向かって前記ヨークの径方向外側から引き込まれた第一引き込み部と、
を備え、
前記複数の他方相コイルは、
一本の導線によって形成され、
前記他方相コイルが巻回された前記他方相分割コアのティースから、前記ステータの軸線方向の他端側において前記ヨークの径方向外側に向かって引き出された第二引き出し部と、
前記第二引き出し部と接続され前記一方相コイルが巻回された前記一方相分割コアのティースを飛ばして前記一方相コイルと隣接する前記他方相コイルが巻回された前記他方相分割コアに至る第二渡り部と、
前記第二渡り部と接続され前記他方相コイルが巻回された前記他方相分割コアのティース上に向かって前記ヨークの径方向外側から引き込まれた第二引き込み部と、
を備えた回転電機のステータ。
【請求項２】
円弧状に形成されたヨーク、及び前記ヨークの径方向内側に向かって前記ヨークに突出形成されたティースをそれぞれ備え円環状に並べられた複数の分割コアと、
絶縁性材料によって形成され、前記複数の分割コアの前記ティースをそれぞれ覆う複数のインシュレータと、
前記インシュレータを介して前記ティースに巻回された複数のコイルと、
を備えた回転電機のステータであって、
複数の給電相のうち前記複数のコイルが同相毎に区分された複数の同相コイルと、
前記複数の分割コアが、前記同相毎に区分され、前記複数の同相コイルがそれぞれ巻回された複数の同相分割コアと、を備え、
前記複数の同相分割コアは、
前記複数の同相コイルのうちの一方相の一方相コイルが巻回された一方相分割コアと、
前記一方相分割コアと隣接して配置され、前記複数の同相コイルのうちの他方相の他方相コイルが巻回された他方相分割コアと、を備え、
前記複数の一方相コイルは、
一本の導線によって形成され、
前記一方相コイルが巻回された前記一方相分割コアのティースから、前記ステータの軸線方向の一端側および他端側のいずれかにおいて前記ヨークの径方向外側に向かって引き出された第一引き出し部と、
前記第一引き出し部と接続され前記他方相コイルが巻回された前記他方相分割コアのティースを飛ばして前記他方相コイルと隣接する前記一方相コイルが巻回された前記一方相分割コアに至る第一渡り部と、
前記第一渡り部と接続され前記一方相コイルが巻回された前記一方相分割コアのティース上に向かって前記ヨークの径方向外側から引き込まれた第一引き込み部と、
を備え、
前記複数の他方相コイルは、
一本の導線によって形成され、
前記他方相コイルが巻回された前記他方相分割コアのティースから、前記ステータの軸線方向の前記一端側および前記他端側のいずれかにおいて前記ヨークの径方向外側に向かって引き出された第二引き出し部と、
前記第二引き出し部と接続され前記一方相コイルが巻回された前記一方相分割コアのティースを飛ばして前記一方相コイルと隣接する前記他方相コイルが巻回された前記他方相分割コアに至る第二渡り部と、
前記第二渡り部と接続され前記他方相コイルが巻回された前記他方相分割コアのティース上に向かって前記ヨークの径方向外側から引き込まれた第二引き込み部と、
を備え、
前記複数の一方相分割コア及び前記複数の他方相分割コアのうち、前記ステータの周方向で互いに隣接する各前記分割コアの間に亘って延在する連結部における前記ステータの前記周方向両側の被挟持部が前記隣接する各前記分割コアの各前記ティースと各前記インシュレータとの間で挟持されるよう配置された絶縁紙を備えた、回転電機のステータ。
【請求項３】
前記複数のインシュレータの前記ステータにおける前記一端側の端部から突設され、前記複数の一方相コイルの前記第一渡り部が支持される複数の第一渡り線保持部と、
前記複数のインシュレータの前記ステータにおける前記他端側の端部から突設され、前記複数の他方相コイルの前記第二渡り部が支持される複数の第二渡り線保持部と、
を備え、
前記複数の第一渡り線保持部は、前記ヨークの前記径方向外側に向いた第一面に、前記第一渡り部が前記ステータの前記周方向に支持される少なくとも１つの第一円周ガイド溝を備え、
前記複数の第二渡り線保持部は、前記ヨークの前記径方向外側に向いた第二面に、前記第二渡り部が前記ステータの前記周方向に支持される少なくとも１つの第二円周ガイド溝を備えた、請求項１または２に記載の回転電機のステータ。
【請求項４】
前記複数の給電相は前記他方相であるＵ相及びＶ相と、前記一方相であるＷ相の３相を備え、
前記Ｕ相、前記Ｖ相、前記Ｗ相の順番で前記ステータの前記周方向に並んで配置された、請求項１乃至３のいずれか１項に記載の回転電機のステータ。
【請求項５】
前記複数のインシュレータの、前記ステータにおける前記一端側及び前記他端側のいずれか一方を覆う蓋部材を備え、
前記複数の給電相の各前記複数の同相コイルは、それぞれ巻始め部を備え、
各前記巻始め部は、全て前記蓋部材側に向かって引き出されて前記蓋部材に支持された、請求項１乃至４のいずれか１項に記載の回転電機のステータ。
【請求項６】
ハウジングと、
前記ハウジングに回転可能に取り付けられたロータと、
前記ロータと対向して前記ハウジングに取り付けられた請求項１乃至請求項５のいずれか１項に記載のステータと、
を備えた回転電機。
【発明の詳細な説明】
【技術分野】
【０００１】
本発明は、対向して配置されたロータを駆動する回転電機のステータ及びそのステータを適用した回転電機に関する。
【背景技術】
【０００２】
特許文献１に示すような、複数の分割コアを円環状に並べたステータを備え、当該ステータに複数の給電相のコイルが備えられた回転電機がある。この回転電機のステータは、円周方向に複数のティースを備えており、複数の給電相の各コイルが各ティースにインシュレータを介してそれぞれ巻回されている。各コイルのうち同相のコイル同士は、渡り線を介して一本の導線によって形成されている。各給電相の各コイル同士を連結する各渡り線は、全てインシュレータの軸線方向一端側に設けられた渡り線保持部の外周面のガイド溝にそれぞれ係合されている。
【先行技術文献】
【特許文献】
【０００３】
【特許文献１】特許第３７２２７１２号公報
【発明の概要】
【発明が解決しようとする課題】
【０００４】
上記で説明したような、複数の分割コアによって形成されるステータを作製する場合、コイル巻回の作業性の観点より、通常、環状のステータは、一箇所を軸線方向で分離し、展開状態にして各分割コアを平面上に並べて載置する。そして、このように平面上に載置された状態で、各給電相毎のそれぞれのコイルは、各分割コア（ティース）に巻回されることが考えられる。この場合、同相のコイルのうち一の給電相のコイルを形成するため、まず、あるティースにコイルを巻回後、渡り線を介して次の一の給電相用のティースに、コイルを巻回する。そして、設定された数の一の給電相のコイルが全て巻き終わるまで同様の作業が行なわれる。その後、全ての給電相のコイルが巻終わったら複数の分割コアを円環状に並べステータを形成する。しかしながら、特許文献１で開示された構成では、コイルを巻回した後の各分割コア同士は、分割コアの一端側のみに係合された複数の渡り線の張力のみによって連結されている。このように、分割コアの一端側のみで支持するので、分割コア同士の連結は不安定となる。これにより、複数の分割コアを円環状に巻いていく際には、分割コアの連結を維持させる冶具などが必要となり、組付コストが上昇する虞がある。
【０００５】
本発明は上記事情に鑑みてなされたものであり、複数の分割コアによって形成されるステータにおいて、低コストで製作可能な回転電機のステータ及びそのステータを適用した回転電機を提供することを目的とする。
【課題を解決するための手段】
【０００６】
上述した課題を解決するために、請求項１に係る回転電機のステータは、円弧状に形成されたヨーク、及び前記ヨークの径方向内側に向かって前記ヨークに突出形成されたティースをそれぞれ備え円環状に並べられた複数の分割コアと、絶縁性材料によって形成され、前記複数の分割コアの前記ティースをそれぞれ覆う複数のインシュレータと、前記インシュレータを介して前記ティースに巻回された複数のコイルと、を備えた回転電機のステータであって、複数の給電相のうち前記複数のコイルが同相毎に区分された複数の同相コイルと、前記複数の分割コアが、前記同相毎に区分され、前記複数の同相コイルがそれぞれ巻回された複数の同相分割コアと、を備え、前記複数の同相分割コアは、前記複数の同相コイルのうち一方相の一方相コイルが巻回された一方相分割コアと、前記一方相分割コアと隣接して配置され、前記複数の同相コイルのうち他方相の他方相コイルが巻回された他方相分割コアと、を備え、前記複数の一方相コイルは、一本の導線によって形成され、前記一方相コイルが巻回された前記一方相分割コアのティースから、前記ステータの軸線方向の一端側において前記ヨークの径方向外側に向かって引き出された第一引き出し部と、前記第一引き出し部と接続され前記他方相コイルが巻回された前記他方相分割コアのティースを飛ばして前記他方相コイルと隣接する前記一方相コイルが巻回された前記一方相分割コアに至る第一渡り部と、前記第一渡り部と接続され前記一方相コイルが巻回された前記一方相分割コアのティース上に向かって前記ヨークの径方向外側から引き込まれた第一引き込み部と、を備え、前記複数の他方相コイルは、一本の導線によって形成され、前記他方相コイルが巻回された前記他方相分割コアのティースから、前記ステータの軸線方向の他端側において前記ヨークの径方向外側に向かって引き出された第二引き出し部と、前記第二引き出し部と接続され前記一方相コイルが巻回された前記一方相分割コアのティースを飛ばして前記一方相コイルと隣接する前記他方相コイルが巻回された前記他方相分割コアに至る第二渡り部と、前記第二渡り部と接続され前記他方相コイルが巻回された前記他方相分割コアのティース上に向かって前記ヨークの径方向外側から引き込まれた第二引き込み部と、を備えた。
【０００７】
このように、複数の給電相の同相コイルの渡り部のうち、一方相コイルの第一渡り部は、ステータの一端側でヨークの径方向外側に引き出され、他方相コイルの第二渡り部は、ステータの他端側でヨークの径方向外側に引き出される。このため、展開状態の複数の分割コアが平面上に載置され、この状態で分割コアに各コイルが巻回された場合、相互に連結された展開状態の複数の一方相分割コア及び他方相分割コアは、ステータの一端側及び他端側でヨークの径方向外側から各分割コアを支持した各渡り部の作用によって、良好に連結が維持される。これにより、コイルが巻回された複数の各分割コアをステータの軸線周りに巻いて円環状に形成することが容易に行なえ、組付けコストの低減に寄与する。
【０００８】
請求項２に係る回転電機のステータは、円弧状に形成されたヨーク、及び前記ヨークの径方向内側に向かって前記ヨークに突出形成されたティースをそれぞれ備え円環状に並べられた複数の分割コアと、絶縁性材料によって形成され、前記複数の分割コアの前記ティースをそれぞれ覆う複数のインシュレータと、前記インシュレータを介して前記ティースに巻回された複数のコイルと、を備えた回転電機のステータであって、複数の給電相のうち前記複数のコイルが同相毎に区分された複数の同相コイルと、前記複数の分割コアが、前記同相毎に区分され、前記複数の同相コイルがそれぞれ巻回された複数の同相分割コアと、を備え、前記複数の同相分割コアは、前記複数の同相コイルのうちの一方相の一方相コイルが巻回された一方相分割コアと、前記一方相分割コアと隣接して配置され、前記複数の同相コイルのうちの他方相の他方相コイルが巻回された他方相分割コアと、を備え、前記複数の一方相コイルは、一本の導線によって形成され、前記一方相コイルが巻回された前記一方相分割コアのティースから、前記ステータの軸線方向の一端側および他端側のいずれかにおいて前記ヨークの径方向外側に向かって引き出された第一引き出し部と、前記第一引き出し部と接続され前記他方相コイルが巻回された前記他方相分割コアのティースを飛ばして前記他方相コイルと隣接する前記一方相コイルが巻回された前記一方相分割コアに至る第一渡り部と、前記第一渡り部と接続され前記一方相コイルが巻回された前記一方相分割コアのティース上に向かって前記ヨークの径方向外側から引き込まれた第一引き込み部と、を備え、前記複数の他方相コイルは、一本の導線によって形成され、前記他方相コイルが巻回された前記他方相分割コアのティースから、前記ステータの軸線方向の前記一端側および前記他端側のいずれかにおいて前記ヨークの径方向外側に向かって引き出された第二引き出し部と、前記第二引き出し部と接続され前記一方相コイルが巻回された前記一方相分割コアのティースを飛ばして前記一方相コイルと隣接する前記他方相コイルが巻回された前記他方相分割コアに至る第二渡り部と、前記第二渡り部と接続され前記他方相コイルが巻回された前記他方相分割コアのティース上に向かって前記ヨークの径方向外側から引き込まれた第二引き込み部と、を備え、前記複数の一方相分割コア及び前記複数の他方相分割コアのうち、前記ステータの周方向で互いに隣接する各前記分割コアの間に亘って延在する連結部における前記ステータの前記周方向両側の被挟持部が前記隣接する各前記分割コアの各前記ティースと各前記インシュレータとの間で挟持されるよう配置された絶縁紙を備えた。
【０００９】
このように、各分割コアの各ティースと各インシュレータとの間に絶縁紙の連結部を介在させることにより隣り合う分割コア同士を連結状態とし、展開状態で平面上に並べた場合においても連結を維持させることができる。これにより、請求項１と同様に、平面上で各給電相のコイルが巻回され連結された複数の分割コアを、ステータの軸線回りに巻いて円環状に形成することが容易に行なえ組付けコストの低減に寄与する。
【００１０】
請求項３に係る請求項１または２に記載の回転電機のステータは、前記複数のインシュレータの前記ステータにおける前記一端側の端部から突設され、前記複数の一方相コイルの前記第一渡り部が支持される複数の第一渡り線保持部と、前記複数のインシュレータの前記ステータにおける前記他端側の端部から突設され、前記複数の他方相コイルの前記第二渡り部が支持される複数の第二渡り線保持部と、を備え、前記複数の第一渡り線保持部は、前記ヨークの前記径方向外側に向いた第一面に、前記第一渡り部が前記ステータの前記周方向に支持される少なくとも１つの第一円周ガイド溝を備え、前記複数の第二渡り線保持部は、前記ヨークの前記径方向外側に向いた第二面に、前記第二渡り部が前記ステータの前記周方向に支持される少なくとも１つの第二円周ガイド溝を備えた。
【００１１】
つまり、他方相の給電相の第二渡り部をステータの軸線方向他端側に配置し、１方相の給電相の渡り部をステータの軸線方向一端側に配置している。このため、従来技術のように、全ての給電相の渡り部をステータのインシュレータの一端側及び他端側のいずれか一方に、集中配置した場合と比べ、各第一及び第二渡り部の張力が、各第一及び第二渡り線保持部の根元部にそれぞれ及ぼす曲げ応力は軽減される。これにより、信頼性が向上する。
【００１２】
請求項４に係る請求項１乃至３のいずれか１項に記載の回転電機のステータでは、前記複数の給電相は前記他方相であるＵ相及びＶ相と、前記一方相であるＷ相の３相を備え、前記Ｕ相、前記Ｖ相、前記Ｗ相の順番で前記ステータの前記周方向に並んで配置された。
【００１３】
つまり、他方相の２本の給電相の第二渡り部をステータの軸線方向他端側に配置し、１本の給電相の第一渡り部をステータの軸線方向一端側に配置している。このため、従来技術のように、３本の給電相の渡り線をステータのインシュレータの一端側及び他端側のいずれか一方に、集中配置した場合と比べ、各渡り線の張力がインシュレータの係合部の根元部に及ぼす曲げ応力は軽減される。これにより、信頼性が向上する。
【００１４】
請求項５に係る請求項１乃至４のいずれか１項に記載の回転電機のステータは、前記複数のインシュレータの、前記ステータにおける前記一端側及び前記他端側のいずれか一方を覆う蓋部材を備え、前記複数の給電相の各前記複数の同相コイルは、それぞれ巻始め部を備え、各前記巻始め部は、全て前記蓋部材側に向かって引き出されて前記蓋部材に支持された。
【００１５】
このように、巻始め部が、全てステータの一端側及び他端側のいずれか一方に向かって引き出され、１つの蓋部材に集約されて支持されるので、簡易な組付けにすることができ、組付け工数が短縮される。
【００１６】
請求項６に係る回転電機は、ハウジングと、前記ハウジングに回転可能に取り付けられたロータと、前記ロータと対向して前記ハウジングに取り付けられた請求項１乃至請求項５のいずれか１項に記載のステータと、を備えた。これにより、回転電機は、請求項１乃至請求項５のいずれか１項に記載のステータが有する効果と同様の効果を有する。
【図面の簡単な説明】
【００１７】
【図１】実施形態に係る電動モータＭの軸線方向断面の概要図である。
【図２】ステータの斜視図である。
【図３】ステータを上方から見た模式図である。
【図４】分割コアユニットの分解斜視図である。
【図５】Ｕ相の巻始め線の渡り線保持部への係合状態を説明する図である。
【図６】Ｖ相の巻始め線の渡り線保持部への係合状態を説明する図である。
【図７】Ｗ相の巻始め線の渡り線保持部への係合状態を説明する図である。
【図８】Ｕ相、Ｖ相の渡り線の渡り線保持部への係合状態を説明する図である。
【図９】分割コアユニットを平面上に載置した際に巻回される各相のコイルの巻回手順を説明する図である。
【図１０】Ｕ相，Ｖ相，Ｗ相の巻終わり線の渡り線保持部への係合状態を説明する図である。
【図１１】蓋部材の上面図である。
【図１２】第二の実施形態に係る展開状態における分割コアユニットの軸線と直交方向の断面であり、絶縁紙の配置について説明する図である。
【発明を実施するための形態】
【００１８】
（第一の実施形態）
（概要）
図１乃至図１１に基づき、本発明の第一の実施形態における電動モータＭ（回転電機に該当する）、及びそのステータ１について説明する。本実施形態においては、電動モータＭは、３つの給電層（Ｕ相，Ｖ相，Ｗ相）を有する３相交流回転電機である。電動モータＭは、制御部（不図示）の制御に従い、発電機、及び電動機のいずれとしても機能し得る。図１は、電動モータＭを、ロータＲの回転軸線方向で切断した断面の概要図である。なお、以降において、図１における上下方向を上下と称して説明するが、その上下方向は、電動モータＭが例えば車両等に実際に配置された場合における方向とは無関係である。
【００１９】
図２は、ステータ１の斜視図であり、図４は、ステータ１を構成する分割コアユニット４の斜視図である。分割コアユニット４の説明中における「半径方向」、及び「円周方向」とは、分割コアユニット４がステータ１中にある場合における、ステータ１の半径方向または円周方向である。さらに、説明中における「中心軸Ｃ」とは、円環状のステータ１の円環中心軸をいう（図１参照）。ステータ１の中心軸Ｃは、ロータＲの回転軸と一致している。なお、以降の説明において、「軸線方向」といった場合、ステータ１の中心軸Ｃの方向をいうものとする。
【００２０】
（電動モータＭ）
図１に示したように、電動モータＭは、ロータＲと、ステータ１を含むホルダユニット１０と、ロータＲを回転可能に支持するとともに、ホルダユニット１０を固定するモータハウジングＨ（ハウジングに相当する）と、を備えている。ロータＲは、円周上に、複数のマグネットＭｇを備えている。ロータＲの外周、即ちマグネットＭｇの外周は、ステータ１の内周と半径方向で対向して配置されている。ステータ１の３つの給電層（Ｕ相，Ｖ相，Ｗ相）に電力が供給されることにより回転磁界を発生させ、回転磁界がロータＲを駆動する。ロータＲは、本発明の主題ではないため、これ以上の説明は行わない。
【００２１】
（ステータ）
図１に示すように、ホルダユニット１０は、ステータ１と、蓋部材１１と、を備えている。ステータ１は、前述したように複数（本実施形態においては１２個）の分割コアユニット４を備えている（図２，図３参照）。図３に示すように、１２個の分割コアユニット４は、同相毎、即ち各給電相（Ｕ相，Ｖ相，Ｗ相）毎に等分に区分されている。１２個の分割コアユニット４を、分割コアユニット４Ａ〜４Ｌとする（図３参照）。分割コアユニット４Ａは、巻始め線Ｌｓｕ（巻き始め部に相当）を有するＵ相である。各分割コアユニット４Ａ〜４Ｌは、図３において、時計周りに配置されている。巻始め線Ｌｓｕを有するＵ相を基点とすると、各給電層（Ｕ相，Ｖ相，Ｗ相）は、時計周りにＵ相→Ｖ相→Ｗ相→Ｕ相・・・の順に配列されている。つまり、各分割コアユニット４Ａ，４Ｄ，４Ｇ，４Ｊが、給電層Ｕ相用の分割コアユニットである。また、各分割コアユニット４Ｂ，４Ｅ，４Ｈ，４Ｋが、給電層Ｖ相用の分割コアユニットである。さらに、各分割コアユニット４Ｃ，４Ｆ，４Ｉ，４Ｌが、給電層Ｗ相用の分割コアユニットである。なお、本実施形態においては、Ｕ相，Ｖ相が他の給電相（他方相）に相当し、Ｗ相が一の給電相（一方相）に相当する。
【００２２】
そして、１２個の分割コアユニット４には、各給電層（Ｕ相，Ｖ相，Ｗ相）毎の各コイル６がそれぞれ巻回されている（図３参照）。つまり、複数のコイル６は、Ｕ相，Ｖ相，Ｗ相それぞれに同相（同じ給電相）毎に等分に区分されている。Ｕ相，Ｖ相，Ｗ相がそれぞれ備える各４個のコイル６をそれぞれ各給電相毎の同相コイルと称する。なお、図３において、Ｌｅｕ，Ｌｅｖ，Ｌｅｗはそれぞれ各給電層（Ｕ相，Ｖ相，Ｗ相）の巻終わり線である。
【００２３】
図４に示すように、各分割コアユニット４Ａ〜４Ｌは、分割コア４１と、インシュレータ４２と、をそれぞれ備えている。分割コア４１は、複数の電磁鋼板が積層されて形成されている。分割コア４１は、外周面が円弧Ａｒｃ状に形成されたヨーク４１ａ、及びヨーク４１ａの円弧Ａｒｃの径方向内側に突出形成されたティース４１ｂをそれぞれ備えている。また、分割コア４１は、ティース４１ｂの突出端に接続され、ステータ１における内端に位置する内方鍔部４１ｃを備えている。これにより、分割コア４１は、中心軸Ｃに対して垂直な断面形状が略Ｔ字状に形成されている。そして、ヨーク４１ａが円環を形成するよう、１２個の分割コア４１が、図２、図３に示すように、円環状に並べられている。なお、Ｕ相，Ｖ相，Ｗ相用の各分割コアユニット４Ａ，４Ｄ，４Ｇ，４Ｊ、各分割コアユニット４Ｂ，４Ｅ，４Ｈ，４Ｋ、及び各分割コアユニット４Ｃ，４Ｆ，４Ｉ，４Ｌがそれぞれ備える４個ずつの各分割コア４１をそれぞれＵ相，Ｖ相，Ｗ相の各同相分割コアと称す。
【００２４】
なお、ヨーク４１ａが、良好に円環状に形成されるよう、各ヨーク４１ａの円周方向両側面には、各ヨーク４１ａと一体で係合溝部４１ｅ、及び係合突部４１ｄがそれぞれ上方から下方に向かって所定の距離だけ形成されている。つまり、円周方向で隣接したとき対向する各分割コア４１のヨーク４１ａの一方の側面には係合溝部４１ｅ（図４中破線参照）が形成され、他方の側面には係合突部４１ｄ（図４参照）が形成されている。係合溝部４１ｅ、及び係合突部４１ｄは、それぞれ、中心軸Ｃ方向と直交する断面で切断すると凸Ｒ形状、及び凹Ｒ形状となるよう形成されている。
【００２５】
これにより、円環状に並べられた１２個の分割コア４１（分割コアユニット４Ａ〜４Ｌ）は、隣接する係合突部４１ｄと係合溝部４１ｅとの係合によって、円環の円周方向のいずれかの一部を軸線方向で切り離し、平面上に載置するよう展開しても、展開状態を維持しやすい。なお、詳細な説明は後述するが、連結された１２個の各分割コア４１（分割コアユニット４Ａ〜４Ｌ）の各ティース４１ｂに、各インシュレータ４２を介して設けられる各給電相（Ｕ相，Ｖ相，Ｗ相）の各コイル６は、この展開状態で巻回される。
【００２６】
（インシュレータ）
図４に示すように、インシュレータ４２は、上下方向に２分割した状態で形成する。インシュレータ４２は、例えば合成樹脂等の絶縁性材料によって形成する。インシュレータ４２は、主に各分割コア４１のティース４１ｂをそれぞれ覆う。以後、上方のインシュレータをアッパインシュレータ４４とし、下方のインシュレータをロアインシュレータ４５として説明する。
【００２７】
下方に位置するロアインシュレータ４５は、コイル６が巻回されるために半径方向に筒状に延びたロア巻回部４５ａと、ロア巻回部４５ａの半径方向内方に接続されたロアインナフランジ４５ｂと、ロア巻回部４５ａの半径方向外方に接続されたロアアウタフランジ４５ｃと、を備えている。
【００２８】
ロアインシュレータ４５は、ロア巻回部４５ａの上端が開口している。ロアインシュレータ４５は、その状態で、下方から分割コア４１のティース４１ｂに挿入される。ロアインシュレータ４５が、分割コア４１のティース４１ｂに装着された状態で、ロアインナフランジ４５ｂは、半径方向外方から分割コア４１の内方鍔部４１ｃと当接する。内方鍔部４１ｃは、ロアインナフランジ４５ｂよりも半径方向内方に突出している。また、ロアインシュレータ４５を、分割コア４１のティース４１ｂに装着した状態で、ロアアウタフランジ４５ｃが、半径方向内方からヨーク４１ａと当接する。ヨーク４１ａはロアアウタフランジ４５ｃよりも半径方向外方に突出している。
【００２９】
一方、上方に位置するアッパインシュレータ４４は、ロアインシュレータ４５と同様に、半径方向に筒状に延びたアッパ巻回部４４ａと、アッパ巻回部４４ａの半径方向内方に接続されたアッパインナフランジ４４ｂと、アッパ巻回部４４ａの半径方向外方に接続されたアッパアウタフランジ４４ｃとを備えている。アッパインシュレータ４４は、アッパ巻回部４４ａの下端が開口している。アッパインシュレータ４４は、その状態で、上方から分割コア４１のティース４１ｂに挿入される。アッパインシュレータ４４がティース４１ｂに装着された状態で、アッパインナフランジ４４ｂは半径方向外方から内方鍔部４１ｃと当接する。内方鍔部４１ｃは、アッパインナフランジ４４ｂよりも半径方向内方に突出している。また、アッパインシュレータ４４をティース４１ｂに装着した状態で、アッパアウタフランジ４４ｃが、径方向内方からヨーク４１ａと当接する。ヨーク４１ａはアッパアウタフランジ４４ｃよりも半径方向外方に突出している。
【００３０】
ロアインシュレータ４５、及びアッパインシュレータ４４を分割コア４１に装着した状態において、各インシュレータ４４、４５の間の継ぎ目は平坦となり、一体となったロア巻回部４５ａ及びアッパ巻回部４４ａに、コイル６が後述の方法で巻回される。
【００３１】
（Ｕ相、及びＶ相の渡り線保持部４６，４７）
図４、図５に示すように、ステータ１の他端側であるアッパインシュレータ４４の上端部には、アッパインシュレータ４４と一体で軸線方向にそれぞれ突出形成される２本の渡り線保持部４６，４７を有している。渡り線保持部４６，４７は、主に、後述する他方相であるＵ相及びＶ相の各コイル６の間を接続する各渡り線を外周面で係合する部材である。ここで外周面とは、円弧Ａｒｃ状に形成された分割コア４１のヨーク４１ａの円弧Ａｒｃの径方向外側に向いた面（第二面に相当）である。
【００３２】
渡り線保持部４６，４７の各外周面は、それぞれ円弧形状を呈している。そして、各外周面には、それぞれＵ相、及びＶ相の各渡り線をそれぞれ軸線方向において同じ位置（高さ）で係合するよう、円周方向に延在する各ガイド溝４６ａ，４７ａ（第二円周ガイド溝に相当）、及び各ガイド溝４６ｂ，４７ｂ（第二円周ガイド溝に相当）がそれぞれ刻設されている（図５〜図７中破線参照）。換言すると、各ガイド溝４６ａ，４７ａが、Ｕ相のコイルの渡り線用のガイド溝であり、各ガイド溝４６ｂ，４７ｂが、Ｖ相のコイルの渡り線用のガイド溝である。また、渡り線保持部４６の外周面には、ガイド溝４６ｃ（図５〜図７中破線参照）が刻設されている。ガイド溝４６ｃは、Ｗ相用の巻始め線Ｌｓｗ（巻始め部に相当）が係合されるガイド溝である。なお、各ガイド溝４６ａ，４６ｂは、Ｕ相，Ｖ相用の巻始め線Ｌｓｕ，Ｌｓｖ（巻始め部に相当）を係合し案内するガイド溝も兼用している。
【００３３】
１２個の分割コアユニット４Ａ〜４Ｌが円環状に並べられた場合に、各隣接する分割コアユニットの各渡り線保持部４６と、各渡り線保持部４７とを円周方向に突き合わせることによって、隣接する渡り線保持部４７のガイド溝４７ａと渡り線保持部４６のガイド溝４６ａ、及び隣接する渡り線保持部４７のガイド溝４７ｂと渡り線保持部４６のガイド溝４６ｂと、が若干の空間を有してそれぞれ連続したガイド溝となる。なお、渡り線保持部４６，４７の外周面は円弧状に限らず、直線状でもよい。
【００３４】
図５〜図７に示すように、渡り線保持部４６の各ガイド溝４６ａ，４７ａ、及び渡り線保持部４７の各ガイド溝４６ｂ，４７ｂは、軸線方向に所定の距離を有して整列し相互に平行に形成されている。ここでいう所定の距離とは、２個（２本）のガイド溝４６ａ，４７ａ及び各ガイド溝４６ｂ，４７ｂに、それぞれＵ相、及びＶ相の各コイルの渡り線が係合され、各渡り線に所定の電圧が給電されたときに、良好に相互の絶縁が得られる距離であり、事前に計算または実験等によって決定される。
【００３５】
本実施形態では、Ｖ相のコイル用の各ガイド溝４６ｂ，４７ｂが、Ｕ相のコイルの渡り線用のガイド溝４６ａ，４７ａの軸線方向上方に形成されている。しかし、この態様に限らず、上下は逆でもよい。なお、以降の説明のため、Ｕ相の各コイルをコイル６ａ（同相コイル）とし、コイル６ａ同士を接続するＵ相の渡り線を、渡り線６ａ１（第二渡り部に相当）とする。また、Ｖ相の各コイルをコイル６ｂ（同相コイル）とし、コイル６ｂ同士を接続するＶ相の渡り線を、渡り線６ｂ１（第二渡り部に相当）とする。さらに、後に詳述するＷ相の各コイルをコイル６ｃ（同相コイル）とし、コイル６ｃ同士を接続するＷ相の渡り線を、渡り線６ｃ１（第一渡り部に相当）とする。なお、渡り線保持部４６の外周面に設けられたＷ相の巻始め線Ｌｓｗ用のガイド溝４６ｃは，Ｖ相のガイド溝４６ｂの軸線方向上方に、ガイド溝４６ｂと所定の距離を有して平行に形成されている。また、ガイド溝４６ｃは、各巻終わり端子Ｌｅｕ，Ｌｅｖ，Ｌｅｗを案内するガイド溝でもあるが詳細は後述する。
【００３６】
渡り線保持部４６は、案内部４６ｄ，４６ｅを備えている。案内部４６ｄ，４６ｅは、渡り線保持部４６の円周方向側面の渡り線保持部４７側に設けられている。案内部４６ｄ，４６ｅは、渡り線保持部４７側に向かってそれぞれ突設されている。
【００３７】
案内部４６ｄが有する一つの機能は、Ｕ相、及びＶ相及びの各巻始め線Ｌｓｕ，Ｌｓｖを各コイル６ａ、及び６ｂが巻回される位置、即ち各分割コア４１の各ティース４１ｂ方向に案内し引き込むことである。また、案内部４６ｄが有するもう一つの機能は、Ｕ相、及びＶ相の各同相コイル６ａ，６ｂから延在した各渡り線６ａ１，６ｂ１を、上記と同様、各ティース４１ｂ方向に案内し引き込むことである。つまり、案内部４６ｄは、各巻始め線Ｌｓｕ，Ｌｓｖ、または各渡り線６ａ１，６ｂ１をインシュレータ４２のアッパ巻回部４４ａ、及びロア巻回部４５ａに引き込むための案内部である。具体的には、案内部４６ｄの渡り線保持部４７側の側面でＵ相の各巻始め線Ｌｓｕをティース４１ｂ方向に案内し引き込む。また、案内部４６ｄの上面に形成された溝でＶ相の各巻始め線Ｌｓｖをティース４１ｂ方向に案内し引き込む。案内部４６ｄの側面、及び上面は、渡り線保持部４６のガイド溝４６ａ，４６ｂとそれぞれ連続的に形成されている。
【００３８】
案内部４６ｅが有する１つの機能は、Ｗ相の各巻始め線ＬｓｗをＷ相の各コイル６ｃが巻回される位置、即ち各分割コア４１の各ティース４１ｂ方向に案内し引き込むことである。また、案内部４６ｅが有するもう一つの機能は、前述したように、Ｕ相，Ｖ相，Ｗ相の各コイル６ａ，６ｂ、６ｃが全て巻終わった後に、案内面となる上面で各巻終わり線Ｌｅｕ，Ｌｅｖ，Ｌｅｗの案内をすることである。案内部４６ｅは、案内面となる上面が渡り線保持部４６のガイド溝４６ｃと連続的に形成されている（図１０参照）。
【００３９】
このように、渡り線保持部４６は、各巻始め線Ｌｓｕ，Ｌｓｖ，Ｌｓｗと各コイル６ａ，６ｂ，６ｃの入力線Ｌｉｎｕ，Ｌｉｎｖ，Ｌｉｎｗとを接続させるため、各巻始め線Ｌｓｕ，Ｌｓｖ，Ｌｓｗまたは各渡り線６ａ１，６ｂ１を、次に巻回される各コイル６ａ，６ｂ，６ｃの入力線Ｌｉｎｕ，Ｌｉｎｖ（ともに第二引き込み部に相当）およびＬｉｎｗ（第一引き込み部に相当）位置に案内する機能を有している。
【００４０】
渡り線保持部４６の内周面には、上方から垂下するＵ相、及びＶ相の巻始め線Ｌｓｕ、Ｌｓｖを案内するための案内段差部４６ｆが形成されている。また、渡り線保持部４６において、円周方向における案内部４６ｄと反対側の側面には、案内段差部４６ｆと外周面の各ガイド溝４６ａ，４６ｂ，４６ｃとを接続する各ガイド溝４６ｇ，４６ｈ，４６ｉが形成されている。
【００４１】
渡り線保持部４７は、Ｕ相及びＶ相の各コイル６ａ，６ｂから引き出した図８に示す各出力線Ｌｏｕｔｕ、Ｌｏｕｔｖ（ともに第二引き出し部に相当）に接続される各渡り線６ａ１，６ｂ１を各ガイド溝４７ａ，４７ｂに案内するための案内溝４７ａ１，４７ｂ１を備えている。案内溝４７ａ１，４７ｂ１は、渡り線保持部４７の円周方向側面の渡り線保持部４６側に設けられている。案内溝４７ａ１，４７ｂ１は、それぞれ渡り線保持部４７の各ガイド溝４７ａ，４７ｂと連続して形成されている。
【００４２】
（Ｗ相の渡り線保持部４８，４９）
図４，図９に示すように、ロアインシュレータ４５は、ステータ１の一端側である下端部に、ロアインシュレータ４５と一体で軸線方向にそれぞれ突出形成される２本の渡り線保持部４８，４９を有している。渡り線保持部４８，４９は、主にＷ相（一方相に相当）の同相の各コイル６ｃの間をそれぞれ接続する渡り線６ｃ１を外周面で係合する。ここで外周面とは、円弧Ａｒｃ状に形成された分割コア４１のヨーク４１ａの円弧Ａｒｃの径方向外側に向いた面（第一面に相当）である。各渡り線保持部４８，４９の外周面は円弧状であり、外周面側に円周方向に延在する１個（１本）のガイド溝４８ａ，４９ａ（いずれも第一円周ガイド溝に相当）が形成されている。
【００４３】
１２個の分割コアユニット４Ａ〜４Ｌが円環状に並べられた場合に、隣接する分割コアユニットの渡り線保持部４９と、渡り線保持部４８とを円周方向に突き合わせることによって、隣接する渡り線保持部４９のガイド溝４９ａと渡り線保持部４８のガイド溝４８ａと、が空間を有してそれぞれ連続したガイド溝となる。なお、渡り線保持部４８，４９の外周面は円弧状に限らず、直線状でもよい。
【００４４】
なお、Ｗ相の各コイル６ｃにおいて、巻始め線Ｌｓｗ（巻始め部に相当）は、Ｕ相、及びＶ相と同様に、上方から垂下し、ロア巻回部４５ａ、及びアッパ巻回部４４ａに、コイル６ｃを巻回する構成となっている。このため、前述したように巻始めのみ、アッパインシュレータ４４の上端部に形成された、渡り線保持部４６によって案内される。しかし、コイル６ｃの出力線Ｌｏｕｔｗ（第一引き出し部に相当）に接続される、図２に示す渡り線６ｃ１（第一渡り部に相当）は、渡り線保持部４９の外周面のガイド溝４９ａに係合される。渡り線保持部４９の円周方向側面には、渡り線６ｃ１をガイド溝４９ａに案内するガイド溝（不図示）が形成されている。
【００４５】
（コイル６の分割コアユニット４Ａ〜４Ｌへの巻回手順）
ここで、各コイル６ａ，６ｂ，６ｃの巻回手順について図５〜図９に基づいて説明する。各コイル６ａ，６ｂ，６ｃは、各インシュレータ４２が装着された１２個の各分割コア４１、つまり分割コアユニット４Ａ〜４Ｌが連結され、展開された状態で巻回される。他方相であるＵ相のコイル６ａの巻回手順における巻回順序は、図９の実線矢印Ａｒ１に示すとおりである。巻回順序Ａｒ１は、まず、軸線方向上方から垂下する巻始め線Ｌｓｕが、分割コアユニット４Ａの渡り線保持部４６の内周面の案内段差部４６ｆに案内される（図５参照）。その後、渡り線保持部４６の円周方向側面に形成されたガイド溝４６ｇを介して、外周面のガイド溝４６ａに係合される。さらに、巻始め線Ｌｓｕは、案内部４６ｄの側面に沿って分割コア４１のティース４１ｂ方向に引き込まれる。これにより、巻始め線Ｌｓｕは、コイル６ａの入力線Ｌｉｎｕと接続する。このとき、分割コアユニット４Ａ〜４Ｌは連結され平面上に載置された状態である。コイル６ａは、分割コアユニット４Ａのティース４１ｂに、インシュレータ４２を介して所定の巻数だけ巻回されて形成される。
【００４６】
その後、図８に示すように、コイル６ａの出力線Ｌｏｕｔｕと接続された渡り線６ａ１が、軸線方向上方で、分割コアユニット４Ａが有する分割コア４１のヨーク４１ａの径方向外側に、渡り線保持部４７の案内部４７ａ１を介して引き出される。引き出された渡り線６ａ１は、分割コアユニット４Ａの渡り線保持部４６、及び隣接する分割コアユニット４Ｂの渡り線保持部４７の各外周面の各ガイド溝４６ａ，４７ａに係合される。そして、渡り線６ａ１は、分割コアユニット４Ａとともに他方相（Ｖ相）を構成する分割コアユニット４Ｂに隣接するＷ相（一方相）の分割コアユニット４Ｃを飛ばして、ステータ１組立て時における周方向に延在する。これにより、渡り線６ａ１は、分割コアユニット４Ｂ、４Ｃの各ガイド溝４６ａ，４７ａに係合されたのち、渡り線保持部４６のガイド溝４６ａ、及び案内部４６ｄを介して分割コアユニット４Ｄのティース４１ｂ方向に引き込まれる。そして、引き込まれた渡り線６ａ１は、コイル６ａの入力線Ｌｉｎｕ（図５参照）と接続し、同相のコイル６ａが分割コアユニット４Ｄのティース４１ｂに、インシュレータ４２を介して所定の巻数で巻回されて形成される。
【００４７】
以降、同相の分割コアユニット４Ｇ、４Ｊに対し、分割コアユニット４Ｄで巻回したのと同様の手順でそれぞれ同相のコイル６ａをそれぞれ所定の巻数で巻回して形成する。このように各コイル６ａは、軸線方向上方に引き出された各渡り線６ａ１で接続されながら1本の導線で順番にそれぞれ所定の巻数だけ巻回される。そして、分割コアユニット４Ｊのコイル６ａが巻回し終わると、コイル６ａの出力線Ｌｏｕｔｕに接続される巻終わり線Ｌｅｕが、図１０に示すように、渡り線保持部４６の案内部４６ｅの上面、ガイド溝４６ｃ、ガイド溝４６ｉ、及び案内段差部４６ｆを介して上方に引き出される。なお、Ｖ相、及びＷ相の巻終わり線Ｌｅｖ，ＬｅｗについてもＵ相の巻終わり線Ｌｅｕと同様にして引き出される。
【００４８】
Ｕ相と同様に、他方相であるＶ相のコイル６ｂの巻回手順（図９の矢印Ａｒ２）は、上述したＵ相の巻回手順（矢印Ａｒ１）に対し、コイル６を巻回する対象の同相の分割コアユニットが異なるだけであり、それ以外は同様であるので詳細な説明は省略する。ただし、図６に示すように、Ｖ相の巻始め線Ｌｓｖについては、分割コアユニット４Ｂの渡り線保持部４６の内周面の案内段差部４６ｆに案内されたのち、ガイド溝４６ｈ，ガイド溝４６ｂ、及び案内部４６ｄの上面に係合されて案内される。また、Ｖ相の渡り線６ｂ１は、ガイド溝４６ｂ、ガイド溝４７ｂに係合される。これらの点のみが、Ｕ相のコイル６ａの取り回しとは異なる。なお、上記において、Ｕ相の分割コアユニット４Ａ、４Ｄ、４Ｇ、４Ｊ及びＶ相の分割コアユニット４Ｂ、４Ｅ、４Ｈ、４Ｋが有する各分割コアは、他方相分割コアである。
【００４９】
次に、一方相であるＷ相の同相のコイル６ｃの巻回手順（図９の矢印Ａｒ３）について説明する。図７に示すように、Ｗ相が有する同相の複数（４個）のコイル６ｃは、まず、軸線方向上方から垂下する巻始め線Ｌｓｗが、Ｕ相，Ｖ相の巻始め線Ｌｓｕ，Ｌｓｖと同様に分割コアユニット４Ｃの渡り線保持部４６に係合して案内される。Ｗ相の巻始め線Ｌｓｗについては、分割コアユニット４Ｃの渡り線保持部４６の内周面の案内段差部４６ｆに案内されたのち、ガイド溝４６ｉと外周面のガイド溝４６ｃとにそれぞれ係合される。そして、巻始め線Ｌｓｗは、ガイド溝４６ｃから案内部４６ｅの上面を介してコイル６ｃが巻回される位置、即ち分割コア４１のティース４１ｂ方向に引き込まれコイル６ｃの入力線Ｌｉｎｗ（図６参照）と接続する。コイル６ｃは、ティース４１ｂに、インシュレータ４２を介して所定の巻数だけ巻回されて形成される。
【００５０】
その後、コイル６ｃの出力線Ｌｏｕｔｗと接続された渡り線６ｃ１が、軸線方向下方で、分割コアユニット４Ｃが有する分割コア４１のヨーク４１ａの径方向外側に引き出される。引き出された渡り線６ｃ１は、渡り線保持部４８，４９の各外周面の各ガイド溝４８ａ，４９ａに係合される（図２参照）。そして、渡り線６ｃ１は、他方相を構成する分割コアユニット４Ｄ（Ｕ相）、及び分割コアユニット４Ｅ（Ｖ相）を飛ばして、ステータ１の組立て時における周方向に延在する。これにより、渡り線６ｃ１は、分割コアユニット４Ｄ、４Ｅの渡り線保持部４８，４９の各ガイド溝４８ａ，４９ａに係合されたのち、分割コアユニット４Ｆの渡り線保持部４８のガイド溝４８ａを介して分割コアユニット４Ｆのティース４１ｂ方向に引き込まれる（不図示）。そして、引き込まれた渡り線６ｃ１は、コイル６ｃの入力線（不図示）と接続し、同相のコイル６ｃが分割コアユニット４Ｆのティース４１ｂに、インシュレータ４２を介して所定の巻数で巻回される。
【００５１】
以降、同相の分割コアユニット４Ｉ、４Ｌに対し、分割コアユニット４Ｆで巻回したのと同様の手順でそれぞれ同相のコイル６ｃをそれぞれ所定の巻数で巻回する。このように、４個のコイル６ｃは、軸線方向下方に引き出された各渡り線６ｃ１で接続されながら1本の導線で順番にそれぞれ所定の巻数だけ巻回されて形成される。そして、前述したように、分割コアユニット４Ｌのコイル６ｃを巻回し終わったらコイル６ｃの出力線Ｌｏｕｔｗに接続される巻終わり線Ｌｅｗが上方の渡り線保持部４６を介して上方に引き出される（図１０参照）。なお、上記において、分割コアユニット４Ｃ、４Ｆ、４Ｉ、４Ｌが有する分割コアは、一方相分割コアである。
【００５２】
各給電相（Ｕ相，Ｖ相，Ｗ相）の各コイル６ａ，６ｂ，６ｃが全て巻回されたら、各コイル６ａ，６ｂ，６ｃを含む連結された分割コアユニット４Ａ〜４Ｌを、軸線周りに巻く。そして、分割コアユニット４Ａが有する分割コアのヨーク４１ａの周方向端面の係合溝部４１ｅと、分割コアユニット４Ｌが有する分割コアのヨーク４１ａの周方向端面の係合突部４１ｄとを係合させて、ステータ１を形成する。このとき、分割コアユニット４Ａ〜４Ｌの上方では渡り線６ａ１、６ｂ１が、また分割コアユニット４Ａ〜４Ｌの下方では、渡り線６ｃ１がそれぞれ渡り線保持部４６，４７、及び渡り線保持部４８，４９の外周面に係合されている。このため、分割コアユニット４Ａ〜４Ｌは、各渡り線６ａ１、６ｂ１、６ｃ１によって、外周側から上下を支持されるので、ばらばらになることなく安定して巻くことができ、低コストで良好にステータ１を形成することができる。
【００５３】
（蓋部材１１）
図１，図１１に示すように、円環状に形成されたステータ１の上方（他端側）には蓋部材１１が設けられている。蓋部材１１は、ステータ１（分割コアユニット４Ａ〜４Ｌ）の他端側を覆っている。蓋部材１１は、円筒部１１ａと、接続端子１１ｂと、を備えている。円筒部１１ａは、環状の底面を備えた有底円筒形状の部材である。接続端子１１ｂは、円筒部１１ａの円筒外周面から円筒外周面の径方向外側に向かって突設されている。
【００５４】
円筒部１１ａは、分割コアユニット４Ａ〜４Ｌの各インシュレータ４２に設けられた２本の渡り線保持部４６，４７の各外周面と嵌合する円筒内周面１１ａ１を備えている。円筒部１１ａの環状の底面１１ａ２には、６個の貫通孔６１〜６６が形成されている。６個の貫通孔６１〜６６のうち、３つの貫通孔６１〜６３には、ステータ１から上方に延在したＵ相，Ｖ相，Ｗ相の各巻始め線Ｌｓｕ，Ｌｓｖ，Ｌｓｗの先端部がそれぞれ貫通している。先端部が貫通した底面１１ａ２の上面には、各巻始め線Ｌｓｕ，Ｌｓｖ，Ｌｓｗとそれぞれ接続されたＵ相配線６７，Ｖ相配線６８、及びＷ相配線６９がそれぞれ接続端子１１ｂまで配索されている。これにより、接続端子１１ｂに３相交流電源の給電端子が係合されるとＵ相，Ｖ相，Ｗ相にそれぞれ位相の異なる所定の交流電気が給電される。
【００５５】
また６個の貫通孔６１〜６６のうち、残りの３つの貫通孔６４〜６６には、ステータ１から上方に延在したＵ相，Ｖ相，Ｗ相の各巻終わり線Ｌｅｕ，Ｌｅｖ，Ｌｅｗの先端部が貫通している。先端部が貫通した底面１１ａ２の上面では、各巻終わり線Ｌｅｕ，Ｌｅｖ，Ｌｅｗ同士が相互に結線されて中性点を形成している。なお、蓋部材１１は、ステータ１の下方（一端側）に設けてもよい。
【００５６】
上述の説明から明らかなように、複数（３つ）の給電相（Ｕ相，Ｖ相，Ｗ相）の各コイル６ａ，６ｂ，６ｃの各渡り線６ａ１，６ｂ１，６ｃ１のうち、一方相コイル（Ｗ相のコイル６ｃ）の渡り線６ｃ１（第一渡り部）は、ステータ１の一端側でヨーク４１ａの径方向外側に引き出されている。また、他方相コイル（Ｕ相のコイル６ａ，Ｖ相のコイル６ｂ）の各渡り線６ａ１，６ｂ１（第二渡り部）は、ステータ１の他端側でヨーク４１ａの径方向外側に引き出されている。このため、連結された展開状態の複数の分割コア４１が平面上に載置され、この状態で分割コア４１にインシュレータ４２を介して各コイル６ａ，６ｂ，６ｃが巻回された場合、複数の一方相分割コア、及び他方相分割コアは、ステータの一端側、及び他端側でヨークの径方向外側から係合した各渡り線６ａ１，６ｂ１，６ｃ１の作用によって、良好に連結が維持される。これにより、冶具を用いることなくコイルが巻回された複数の各分割コアをステータ１の軸線周りに巻いて円環状に形成することが容易に行なえ、組付けコストの低減に寄与する。
【００５７】
（第二の実施形態）
第二の実施形態について説明する。第二の実施形態は、第一の実施形態に対して、分割コアユニット４Ａ〜４Ｌの連結方法のみ異なる。それ以外は全て同じであるので、変更点のみ説明し、同様の部分については、説明を省略する。第二の実施形態においては、各分割コアユニット４Ａ〜４Ｌ間の連結を絶縁紙８０によって行なう。絶縁紙８０は、例えば、樹脂を含浸した紙や、ガラスフィラー等の繊維を混入した樹脂を含浸した紙である。
【００５８】
図１２に示すように、絶縁紙８０は、連結された各分割コアユニット４Ａ〜４Ｌのうち、周方向で隣り合う分割コアユニット間（例えば４Ａと４Ｂとの間）にそれぞれ延在して設けられている。図１２は、分割コアユニット４Ａ，４Ｂを軸線方向と直交する方向に切断した場合の断面図である。詳細には、絶縁紙８０は、周方向の両側の各端部Ｅｐ（両端部の被挟持部に相当）が、隣り合う各分割コアユニットが有する各分割コア４１の各ティース４１ｂと、各ティース４１ｂを覆うインシュレータ４２との間に挟持されるよう配置される。絶縁紙において被挟持部間（各端部Ｅｐ間）は連結部に相当する。本実施形態において絶縁紙８０（連結部）は、１１枚配置されることになる。なお、この態様に限らず、絶縁紙８０は、分割コアユニット４Ａから分割コアユニット４Ｌまでつながっている一枚の絶縁紙でもよい。また、所定の数で形成された複数の分割コアユニット毎に一枚の絶縁紙８０で構成するようにしてもよい。これらの場合、絶縁紙８０が、それぞれ複数の連結部を備えていることになる。
【００５９】
このように構成されることにより、隣り合う分割コアユニット同士は、絶縁紙８０を介して固定され、分割コアユニット４Ａ〜４Ｌが連結体となる。このため、冶具を用いずとも、平面上に展開して載置された分割コアユニット４Ａ〜４Ｌを、安定して巻くことができ、円環状のステータ１の組付けコストの低減に寄与する。
【００６０】
なお、上記第二の実施形態においては、渡り線６ａ１、６ｂ１、６ｃ１を一端側と他端側とに分離させず、全て一端側または他端側に配置してもよい。これによっても同様の効果が得られる。
【００６１】
また、上記第一、及び第二の実施形態によれば、一方相の数を１つとし、他方相の数を２つとしたが、これに限らず、一方相の数を２つとし、他方相の数を１つとしてもよい。また、給電相は３つを超えてもよいし、２つでもよい。
【００６２】
また、第一、及び第二の実施形態においては、複数の給電相の数を３つとし、２つの給電相（Ｕ相，Ｖ相）の２本の渡り線６ａ１，６ｂ１（第二渡り部）をステータ１の軸線方向他端側に配置し、１つの給電相（Ｗ相）の１本の渡り線６ｃ１（第一渡り部）をステータの軸線方向一端側に配置する態様とした。この場合においては、従来技術のように、３つの給電相の各３本の渡り線をステータの一端側、及び他端側のいずれか一方に、集中配置した場合と比べ、各渡り線の張力が渡り線保持部の根元部に及ぼす曲げ応力が軽減される。これにより、信頼性が向上するとともに、ステータが備える渡り線保持部の根元部を小型化できる。
【００６３】
また、第一、及び第二の実施形態においては、ステータ１は、複数のインシュレータ４２の一端側、及び他端側端部のいずれか一方を覆う蓋部材１１を備えている。そして、複数（３つ）の給電相（Ｕ相，Ｖ相，Ｗ相）の各コイル６ａ，６ｂ，６ｃに対応する各巻始め線Ｌｓｕ，Ｌｓｖ，Ｌｓｗ（巻始め部）、及び各巻終わり線Ｌｅｕ，Ｌｅｖ，Ｌｅｗは、全て蓋部材１１側に引き出され、蓋部材１１に支持された。このように、巻始め線、及び各巻終わり線が、全て一端側及び他端側のいずれか一方に引き出され、１つの蓋部材に集約されて支持されるので、簡易な組付けにすることができ、組付け工数が短縮される。
【００６４】
なお、本発明によるステータは、同期モータ、誘導モータあるいはそれ以外のあらゆる電動モータもしくは発電機といった回転電機に適用可能である。また、前述したが、本発明によるステータは、３相に限らず３相を超える給電相を有するステータでもよい。
【００６５】
また、上記実施形態では、回転電機は３相のコイルをＹ結線によって接続した態様であったが、これに限らず３相のコイルをΔ結線によって接続した回転電機としてもよい。この場合、巻終わり線は不要であり、蓋部材１１では、巻始め線Ｌｓｕ，Ｌｓｖ，Ｌｓｗのみ支持すればよい。
【符号の説明】
【００６６】
１・・・ステータ、  ４、４Ａ〜４Ｌ・・・分割コアユニット、  ４１・・・分割コア、  ６、６ａ〜６ｃ・・・コイル、  ６ａ１，６ｂ１・・・第二渡り部（渡り線）、  ６ｃ１・・・第一渡り部（渡り線）、  １０・・・ホルダユニット、  １１・・・蓋部材、  １１ａ・・・円筒部、  １１ｂ・・・接続端子、  ４１ａ・・・ヨーク、  ４１ｂ・・・ティース、  ４２・・・インシュレータ、  ４４・・・アッパインシュレータ、  ４４ａ・・・アッパ巻回部、  ４５・・・ロアインシュレータ、  ４５ａ・・・ロア巻回部、  ４６・・・渡り線保持部、  ４６ａ，４６ｂ・・・第二円周ガイド溝（ガイド溝）、  ４６ｃ・・・ガイド溝、  ４６ｄ，４６ｅ・・・案内部、  ４６ｇ，４６ｈ・・・ガイド溝、  ４６ｉ・・・ガイド溝、  ４７・・・渡り線保持部、  ４７ａ，４７ｂ・・・第二円周ガイド溝（ガイド溝）、  ４７ａ１，４７ｂ１・・・案内溝、  ４８・・・渡り線保持部、  ４８ａ・・・第一円周ガイド溝（ガイド溝）、  ４９・・・渡り線保持部、  ４９ａ・・・第一円周ガイド溝（ガイド溝）、  ８０・・・絶縁紙、  Ｃ・・・中心軸、  Ｈ・・・ハウジング（モータハウジング）、  Ｌｉｎｕ，Ｌｉｎｖ・・・第二引き込み部（入力線）、  Ｌｉｎｗ・・・第一引き込み部（入力線）、  Ｌｏｕｔｕ、Ｌｏｕｔｖ・・・第二引き出し部（出力線）、  Ｌｏｕｔｗ・・・第一引き出し部（出力線）、  Ｍ・・・回転電機（電動モータ）、  Ｒ・・・ロータ、  Ｕ，Ｖ，Ｗ・・・給電層。
【図１】
2015171239.tif 000003
【図２】
2015171239.tif 000004
【図３】
2015171239.tif 000005
【図４】
2015171239.tif 000006
【図５】
2015171239.tif 000007
【図６】
2015171239.tif 000008
【図７】
2015171239.tif 000009
【図８】
2015171239.tif 000010
【図９】
2015171239.tif 000011
【図１０】
2015171239.tif 000012
【図１１】
2015171239.tif 000013
【図１２】
2015171239.tif 000014